(57)【要約】【課題】直下対流によって給水バイパス管に高温水が混入しても良好な給湯が行える貯湯式給湯装置を提供するものである。【解決手段】加熱手段２で加熱された温水を貯湯する貯湯タンク１と、該貯湯タンク１に給水を補給する給水管３と、貯湯タンク１上部に連通し高温水を出湯する出湯管４と、この出湯管４の途中で高温水と、給水管３から分岐した給湯用給水バイパス管６からの給水とを、ミキシングして設定温度の給湯を行う給湯用混合弁５と、同じく出湯管４の高温水と、給湯用給水バイパス管６から分岐した風呂用給水バイパス管９からの給水とを、ミキシングして設定温度の湯張りを行う風呂用混合弁８とから構成し、前記風呂用混合弁８による湯張り中は、給湯用混合弁５を湯側を閉止状態とし、湯張り終了後は、所定時間給湯用混合弁５を湯側と水側が連通の開度状態とした後、湯側閉止状態とすることで、火傷やオーバーシュート、アンダーシュートを防止出来る。【選択図】  図１
2006153319.tif 000002
【特許請求の範囲】
【請求項１】
加熱手段で加熱された温水を貯湯する貯湯タンクと、該貯湯タンクに給水を補給する給水管と、貯湯タンク上部に連通し高温水を出湯する出湯管と、この出湯管の途中で高温水と、給水管から分岐した給湯用給水バイパス管からの給水とを、ミキシングして設定温度の給湯を行う給湯用混合弁と、同じく出湯管の高温水と、給湯用給水バイパス管から分岐した風呂用給水バイパス管からの給水とを、ミキシングして設定温度の湯張りを行う風呂用混合弁とから構成されたものに於いて、前記風呂用混合弁による湯張り中は、給湯用混合弁を湯側を閉止状態とし、湯張り終了後は、所定時間給湯用混合弁を湯側と水側が連通の開度状態とした後、湯側閉止状態とする事を特徴とする貯湯式給湯装置。
【請求項２】
加熱手段で加熱された温水を貯湯する貯湯タンクと、該貯湯タンクに給水を補給する給水管と、貯湯タンク上部に連通し高温水を出湯する出湯管と、この出湯管の途中で高温水と、給水管から分岐した給湯用給水バイパス管からの給水とを、ミキシングして設定温度の給湯を行う給湯用混合弁と、同じく出湯管の高温水と、給湯用給水バイパス管から分岐した風呂用給水バイパス管からの給水とを、ミキシングして設定温度の湯張りを行う風呂用混合弁とから構成されたものに於いて、前記風呂用混合弁による湯張り中は、給湯用混合弁を湯側を閉止状態とし、湯張り終了後は、給湯用給水バイパス管に備えた温度センサが所定温度を検知するまで、給湯用混合弁を湯側と水側が連通の開度状態とした後、湯側閉止状態とする事を特徴とする貯湯式給湯装置。
【請求項３】
前記温度センサは、給水サーミスタを兼ねる事を特徴とする請求項２記載の貯湯式給湯装置。
【発明の詳細な説明】
【技術分野】
【０００１】
この発明は、貯湯タンクの貯湯温水を用いて浴槽の湯張りや給湯を行う貯湯式給湯装置に関するものである。
【背景技術】
【０００２】
従来よりこの種のものでは、貯湯タンク内の高温水と給水とを混合弁でミキシングして設定温度の給湯を行い、給湯停止後の貯湯タンク内の湯水境界層が混合弁より低く、且つ混合弁がお湯側と水側を連通状態としておくと、貯湯タンク内の高温水は釣り合おうとして直下対流を起こし、給水バイパス管まで流入してしまうことで、再給湯時に給湯温度が大きく変動するので、これを給水バイパス管に混合タンクを設けることにより防止しようとするものであった。（例えば、特許文献１参照。）
【特許文献１】特開２００３−４３０３号公報
【発明の開示】
【発明が解決しようとする課題】
【０００３】
ところでこの従来のものでは、給水バイパス管に高温水が混入してどれ位の温水温度に成っているか、或いはすでに時間がたって冷えているとか、まだ高温水の混入は開始されていないとかが、全く分からず正確で良好な混合制御は出来ないものであった。
又給湯の他に貯湯タンク内の高温水と給水とを風呂用の混合弁でミキシングして、風呂に設定温度の湯張りを行うようにしたものでは、湯張りによって給水側の圧力バランスが崩れ、給水バイパス管に溜められた温水が風呂用の混合弁より流出してしまうと言う問題点を有するものであった。
【課題を解決するための手段】
【０００４】
この発明はこの点に着目し上記欠点を解決する為、特にその構成を、加熱手段で加熱された温水を貯湯する貯湯タンクと、該貯湯タンクに給水を補給する給水管と、貯湯タンク上部に連通し高温水を出湯する出湯管と、この出湯管の途中で高温水と、給水管から分岐した給湯用給水バイパス管からの給水とを、ミキシングして設定温度の給湯を行う給湯用混合弁と、同じく出湯管の高温水と、給湯用給水バイパス管から分岐した風呂用給水バイパス管からの給水とを、ミキシングして設定温度の湯張りを行う風呂用混合弁とから構成されたものに於いて、前記風呂用混合弁による湯張り中は、給湯用混合弁を湯側を閉止状態とし、湯張り終了後は、所定時間給湯用混合弁を湯側と水側が連通の開度状態とした後、湯側閉止状態とするものである。
【０００５】
又請求項２では、加熱手段で加熱された温水を貯湯する貯湯タンクと、該貯湯タンクに給水を補給する給水管と、貯湯タンク上部に連通し高温水を出湯する出湯管と、この出湯管の途中で高温水と、給水管から分岐した給湯用給水バイパス管からの給水とを、ミキシングして設定温度の給湯を行う給湯用混合弁と、同じく出湯管の高温水と、給湯用給水バイパス管から分岐した風呂用給水バイパス管からの給水とを、ミキシングして設定温度の湯張りを行う風呂用混合弁とから構成されたものに於いて、前記風呂用混合弁による湯張り中は、給湯用混合弁を湯側を閉止状態とし、湯張り終了後は、給湯用給水バイパス管に備えた温度センサが所定温度を検知するまで、給湯用混合弁を湯側と水側が連通の開度状態とした後、湯側閉止状態とするものである。
【０００６】
又請求項３では、前記温度センサは、給水サーミスタを兼ねるようにしたものである。
【発明の効果】
【０００７】
この発明によれば、設定温度の湯張りによって、給湯用給水バイパス管内の温水が流出したとしても、湯張り終了後に再び直下対流を利用した温水の貯湯が行えるので、給湯時には火傷の心配及び、オーバーシュートやアンダーシュートもなく、貯湯タンク内の湯水境界層に関係なく常に良好な給湯が行えるようにしたものである。
【０００８】
請求項２では、湯張り終了後に貯湯タンクからの給湯用給水バイパス管への高温水の混入による湯温を、温度センサで検知して給湯用混合弁の湯側を閉止するので、常に所定温度の温水を貯湯出来、確実に再給湯時の火傷及び、オーバーシュートやアンダーシュートを防止出来、貯湯タンク内の湯水境界層に関係なく常に良好な給湯が行えるようにしたものである。
【０００９】
又温度センサを、元もと使用されている給水サーミスタを兼ねるようにすれば、部品点数も増えることなく構造簡単に形成出来、極めて安価に提供出来るものである。
【発明を実施するための最良の形態】
【００１０】
次にこの発明の一実施形態を図示した図１、図２に基づいて説明する。
１は円筒状の貯湯タンクで、ヒーポン室外機から成る加熱手段２を利用し、時間帯別契約電力の電力単価が安価な深夜時間帯に湯水を沸き上げて貯湯するものであり、底部には給水を補給する給水管３が接続し、上部には貯湯した高温水を給湯栓（図示せず）等に出湯する出湯管４が接続されている。
【００１１】
５は一方に出湯管４を、他方には給水管３から分岐した給湯用給水バイパス管６を、中央には給湯管７が接続した電動三方弁から成る給湯用混合弁で、出湯管４からの高温水と給湯用給水バイパス管６からの給水とを混合して、設定された給湯温度となるようにして供給するものであり、出湯温度と給水温度と設定温度から、出湯管４の湯側開度と給湯用給水バイパス管６の水側開度をフィードフォワード制御で調整するものである。
【００１２】
８は前記給湯用混合弁５と同じく一方には出湯管４を、他方には給湯用給水バイパス管６から分岐した風呂用給水バイパス管９を、中央には風呂循環回路（図示せず）に接続した電動三方弁から成る風呂用混合弁で、出湯管４からの高温水と風呂用給水バイパス管９からの給水とを混合して、設定された風呂温度となるようにして湯張りするものであり、出湯温度と給水温度と風呂設定温度とから、出湯管４の湯側開度と風呂用給水バイパス管９の水側開度をフィードフォワード制御で調整するものである。
【００１３】
１０は給水管３に備えられ給水温度を検知する給水サーミスタで、給湯時には給水温度を検知して給湯用混合弁５の開度を調整するものであり、又貯湯タンク１内の湯水境界層が、給湯用混合弁５より下方に位置する状態で、給湯停止して給湯用混合弁５を出湯管４と給湯用給水バイパス管６が連通する開度とした時に、貯湯タンク１内の高温水が釣り合おうとして直下対流を起こし、給湯用給水バイパス管６まで流入してしまう時には、所定時間ここでは１〜１０分で水側である給湯用給水バイパス管６側を１００％開口状態、即ち湯側である出湯管４側を閉止するように給湯用混合弁５を駆動させ、後は上記のフィードフォワード制御で給湯用混合弁５を制御するようにしたものである。
【００１４】
前記給水サーミスタ１０は給湯停止状態で湯張りを行う時には、給水温度を検知して風呂用混合弁８の開度を調整するものであり、又給湯用混合弁５が給湯停止直後で上記の温水貯湯運転を行っている状態もあるので、先ず給湯用混合弁５を湯側閉止で水側１００％の開度とした後に湯張りを行うものであり、更に湯張り停止後には、給湯用混合弁５に上記の直下対流を利用した温水貯湯動作を行わせて、再給湯に備えるようにしたものである。
【００１５】
１１は貯湯タンク１と加熱手段２とを湯水が循環可能に接続する往き管１２と戻り管１３と循環ポンプ１４とで構成された加熱循環回路である。
１５、１６、１７、１８は貯湯タンク１外周面の上下に備えられた貯湯温度センサであり、１９は給水管３途中に設けられた減圧弁であり、２０は出湯管４に備えられた圧力逃がし弁である。
【００１６】
２１はマイコンから成る制御回路で、入力側には、リモコン（図示せず）の温度設定部２２と、給水サーミスタ１０と、各貯湯温度センサ１５、１６、１７、１８と、湯張りスイッチ２３と、湯張り終了の信号を出力するスイッチ或いは流量センサ、風呂水位センサ、風呂温度センサ等の湯張り終了検知手段２４と、最上位置の貯湯温度センサ１５が出湯温度センサとして接続すると共に、給湯管７に備えられ湯水の流れを検知することにより給湯の開始／停止を検知するフローセンサ２５が接続され、出力側には、循環ボンプ１４と、給湯用混合弁５及び風呂用混合弁８のステップモータ駆動量を制御することで、該各混合弁５、８の開度を調整するようにしたものであり、又制御回路２１には前記フローセンサ２５による給湯停止信号と、前記湯張り終了検知手段２４からの湯張り終了信号との両信号で、給湯用混合弁５出湯管４と給湯用給水バイパス管６が連通する開度として、所定時間ここでは１〜１０分のカウントを開始するタイマー手段２６が組み込まれており、カウントアップで水側である給湯用給水バイパス管６側を１００％開口状態、即ち湯側である出湯管４側を閉止するものである。
【００１７】
次にこの図１、図２に示す一実施形態の作動について説明する。
今給湯栓を開けて給湯を開始すれば、これをフローセンサ２５が検知し、制御回路２１に温度設定部２２による設定温度を読み込ませ、給水サーミスタ１０による給水温度と、貯湯温度センサ１５による出湯温度とによって制御回路２１が演算して給湯用混合弁５の開度を決定し、この開度に成るように給湯用混合弁５を駆動させ、設定温度の給湯を行うものである。
【００１８】
又貯湯タンク１内の湯水境界層が給湯用混合弁５より下方にある時には、給湯停止時にフローセンサ２５がこれを検知しての信号で、タイマー手段２６が所定時間のカウントを開始すると共に、給湯用混合弁５を出湯管４と給湯用給水バイパス管６が連通する開度とし、貯湯タンク１内の高温水が釣り合おうとする直下対流を利用して、給湯用給水バイパス管６に給水と高温水との混合した適温の温水を貯湯した後、タイマー手段２６のカウントアップで給湯用混合弁５の水側である給湯用給水バイパス管６側を１００％開口状態、即ち湯側である出湯管４側を閉止するものである。
【００１９】
これにより、短い待ち時間の後の再給湯時に、水側１００％の位置からスタートする給湯用混合弁５が決定された開度に時間がかかっても、給湯初期には給湯用給水バイパス管６に貯湯された温水が一時的に給湯され、その後給水と高温水との混合水が給湯されることとなり、火傷の心配やオーバーシュートやアンダーシュートを防止出来、貯湯タンク内の湯水境界層に関係なく常に良好な給湯が行えるようにしたものである。
【００２０】
次に湯張りスイッチ２３の押圧による浴槽（図示せず）への湯張り時には、先ず給湯用混合弁５を湯側閉止の水側１００％の位置にした後、風呂用混合弁８を給水サーミスタ１０による給水温度と、貯湯温度センサ１５による出湯温度とによって制御回路２１が演算した開度に駆動し、風呂設定温度の湯張りを行うものである。
【００２１】
そしてこの湯張り動作で、給湯用給水バイパス管６に万一温水が貯湯されていた場合には、給水の圧力バランスの崩れで風呂用混合弁８へ流れる給水に混入して流出してしまうので、この発明では、湯張り終了時の湯張り終了検知手段２４からの信号でも上記の給湯用給水バイパス管６への温水貯湯動作を行うもので、即ちタイマー手段２６が所定時間のカウントを開始すると共に、給湯用混合弁５を出湯管４と給湯用給水バイパス管６が連通する開度とし、貯湯タンク１内の高温水が釣り合おうとする直下対流を利用して、給湯用給水バイパス管６に給水と高温水との混合した適温の温水を貯湯した後、タイマー手段２６のカウントアップで給湯用混合弁５の水側である給湯用給水バイパス管６側を１００％開口、湯側である出湯管４側を閉止するものである。
【００２２】
これによって、本来湯張り動作でなくなってしまう給湯用給水バイパス管６内の貯湯温水を、湯張り終了で再度貯湯し直すことが出来、湯張り機能があるものに於いても、給湯時の火傷の心配やオーバーシュートやアンダーシュートを防止出来、貯湯タンク内の湯水境界層に関係なく常に良好な給湯が行えるようにしたものである。
【００２３】
次に図３に示す他の実施形態について説明するが、上記実施形態と同一部分には同一符号を付し、相違点のみを説明する。
２７はタイマー手段２６の替わり給湯用給水バイパス管６に備えられた温度センサで、給水管３に備えられていた給水サーミスタ１０も兼ねるものである。
【００２４】
この他の実施形態の作動は、給湯停止後及び湯張り終了後に、給湯用混合弁５を出湯管４と給湯用給水バイパス管６が連通する開度とし、貯湯タンク１内の高温水が釣り合おうとする直下対流を利用して、給湯用給水バイパス管６に給水と高温水との混合し、温度センサ２７が所定温度ここでは３０〜４３℃に達したことを検知することで、給湯用混合弁５の水側である給湯用給水バイパス管６側を１００％開口、湯側である出湯管４側を閉止するものである。
【００２５】
これにより、直接温水温度を検知して給湯用混合弁５の湯側を閉止するので、タイマー手段２６では得ることの出来ない確実で的確な温水の貯湯を行うことが出来、安心して再給湯を待つことが出来るものである。
【００２６】
又温度センサを、元もと使用されている給水サーミスタを兼ねるようにすれば、部品点数も増えることなく構造簡単に形成出来、極めて安価に提供出来るものである。
【図面の簡単な説明】
【００２７】
【図１】この発明の一実施形態を示す貯湯式給湯装置の概略説明図。
【図２】同要部電気回路のブロック図。
【図３】他の実施形態を示す貯湯式給湯装置の概略説明図。
【符号の説明】
【００２８】
１  貯湯タンク
２  加熱手段
３  給水管
４  出湯管
５  給湯用混合弁
６  給湯用給水バイパス管
８  風呂用混合弁
９  風呂用給水バイパス管
２１  制御回路
２６  タイマー手段
２７  温度センサ
【図１】
2006153319.tif 000003
【図２】
2006153319.tif 000004
【図３】
2006153319.tif 000005